(57)【要約】【課題】  音声ガイド装置のユーザが自らの特性に合わせて音声案内を変更することができる音声ガイド装置を提供する。【解決手段】  情報処理装置である複合機２０の操作を音声で案内する音声ガイド装置１０において、案内情報を予め記憶する記憶手段３０１と、複合機２０に対するユーザ操作を検知するユーザ操作検知手段３０２と、複合機２０の状態を検知する状態検知手段３０３と、案内情報を選択する選択手段３０４と、案内情報の音声の合成を行う音声案内情報生成手段３０５と、合成された音声を出力する音声出力手段３０６と、選択手段３０４で選択される案内情報および音声案内情報生成手段３０５で生成される音声メッセージ情報および音声出力手段３０６による音声出力の少なくとも一つをユーザ設定により変更する音声案内変更手段３０７とを備える。【選択図】  図３
2006155360.tif 000002
【特許請求の範囲】
【請求項１】
情報処理装置に対するユーザ操作および該情報処理装置の状態を音声案内する情報処理装置の音声ガイド装置において、
前記音声案内に用いる案内情報を予め記憶する記憶手段と、
前記情報処理装置に対するユーザ操作を検知するユーザ操作検知手段と、
前記情報処理装置の状態を検知する状態検知手段と、
前記ユーザ操作検知手段で検知された前記ユーザ操作若しくは前記状態検知手段で検知された前記情報処理装置の状態に対応して前記記憶手段から前記音声案内に用いる案内情報を選択する選択手段と、
前記選択手段で選択された案内情報を用いて情報処理装置に対するユーザ操作および該情報処理装置の状態に対応する音声メッセージ情報を生成する音声案内情報生成手段と、
前記ユーザ操作検知手段によるユーザ操作検知若しくは前記状態検知手段による状態検知に対応して前記音声案内情報生成手段で生成された前記音声メッセージ情報を音声出力する音声出力手段と、
前記選択手段で選択される案内情報および前記音声案内情報生成手段で生成される音声メッセ−ジ情報および前記音声出力手段による音声出力の少なくとも一つをユーザ設定により変更する音声案内変更手段と
を具備することを特徴とする情報処理装置の音声ガイド装置。
【請求項２】
前記記憶手段は、
前記状態検知手段で検知される前記情報処理装置の状態に対応して他者の助けを促す案内情報および該他者を特定する文字列を記憶し、
前記音声案内情報生成手段は、
前記記憶手段に記憶された前記他者の助けを促す案内情報を含む音声メッセージ情報を生成し、
前記音声案内変更手段は、
前記ユーザ設定に対応して前記音声案内情報生成手段で生成される音声メッセージ情報に含まれる前記他者を前記記憶手段に記憶された該他者を特定する文字列に置き換える変更を行う
ことを特徴とする請求項１記載の情報処理装置の音声ガイド装置。
【請求項３】
前記記憶手段は、
前記ユーザ操作検知手段で検知される前記ユーザ操作若しくは前記状態検知手段で検知される前記状態に対応して複数の案内情報を記憶し、
前記音声案内情報生成手段は、
前記記憶手段に記憶された複数の案内情報に対応して複数の音声メッセージ情報を順次生成し、
前記音声案内変更手段は、
前記ユーザ設定に対応して前記選択手段で選択される案内情報および前記音声案内情報生成手段で生成される音声メッセージ情報の生成順序および前記音声出力手段による音声出力のタイミングの少なくとも一つの変更を行う
ことを特徴とする請求項１記載の情報処理装置の音声ガイド装置。
【請求項４】
前記記憶手段は、
前記ユーザ操作検知手段で検知される前記ユーザ操作に対応して該ユーザ操作に係る数字の読み上げ態様を複数の案内情報として記憶し、
前記音声案内変更手段は、
前記ユーザ操作および前記ユーザ設定に対応して前記選択手段で選択される前記案内情報の数字の読み上げ態様を変更する
ことを特徴とする請求項１記載の情報処理装置の音声ガイド装置。
【請求項５】
前記記憶手段は、
前記ユーザ操作検知手段で検知される前記ユーザ操作に対応して該ユーザ操作に係る設定の読み上げ態様を複数の案内情報として記憶し、
前記音声案内変更手段は、
前記ユーザ操作および前記ユーザ設定に対応して前記選択手段で選択される前記案内情報の設定の読み上げ態様を変更する
ことを特徴とする請求項１記載の情報処理装置の音声ガイド装置。
【請求項６】
前記記憶手段は、
前記状態検知手段によリ検知された前記状態に対応して音楽情報を前記案内情報として記憶し、
前記音声案内変更手段は、
前記状態および前記ユーザ設定に対応して前記選択手段で選択される前記案内情報を前記音楽情報に変更する
ことを特徴とする請求項１記載の情報処理装置の音声ガイド装置。
【発明の詳細な説明】
【技術分野】
【０００１】
本発明は、情報処理装置に接続して該情報処理装置の操作を音声で案内する情報処理装置の音声ガイド装置に関し、特に、装置のユーザが自らの特性に合わせて音声案内を変更することができる音声ガイド装置に関する。
【背景技術】
【０００２】
近年、コピー、スキャン、ファックス、プリント等の複数の機能を有する情報処理装置である複合機は、取り扱う機能が多様となりテンキーや機能キーだけでは操作が出来なくなったために、ディスプレイ上にタッチパネルを設け、画面には操作手順を示す文字や入力場所を示す絵等が表示されて、使用者が入力エリアに触れることによって入力を行うタッチパネル入力方法が広く普及している。
【０００３】
また、街頭に設置された情報案内端末やＡＴＭ機器、自動販売機等の各種情報処理装置においても、前記したようなタッチパネル入力方法を採用しているものが広く普及している。
【０００４】
しかし、視覚障害者等の視覚障害を有する者にとっては、タッチパネルの有効なタッチエリアを目で確認できないため、操作する為には操作手順とタッチエリアの位置を予め覚えておかなければなく、操作が非常に困難である。
【０００５】
この問題を解決する為に、音声合成装置により情報処理装置の操作に対する案内情報を音声出力し、視覚障害者にも複雑な操作を伴う情報処理装置の操作を可能にする音声ガイド装置がある。
【０００６】
米国においては、リハビリテーション法５０８条が２００１年６月２１日から施行され、米国連邦政府はＩＴ機器調達において障害者が利用できる機器を購入する義務が出て来て、州政府、関連施設、民間企業にも、障害者が利用できる機器の購入を追従する動きが見られる。
【０００７】
特許文献１には、ユーザが視覚障害者であると認識されたとき、機器の操作を音声モードに移行させる機能制御部と、この音声モードの場合にユーザからの各種操作を制御する操作制御部とを備えて、音と音声によってユーザへその操作結果を通知するようにして視覚障害者が視覚を使用せずに機器を操作できるようにした機器操作装置が提案されている。
【０００８】
また、特許文献２には、印刷装置において、周囲の状況に対応して発生する音声メッセージの音量を適切に自動調節でき、また、使用者が装置の傍にいないときに発生した状態変化を使用者が装置に近付いたときに音声メッセージとして報告する音声メッセージ機能付きの印刷装置が提案されている。
【特許文献１】特開２００３−１４０８８０
【特許文献２】特開平０７−１４９０２７
【発明の開示】
【発明が解決しようとする課題】
【０００９】
特許文献１にみられるように、視覚障害者のために音声案内によって複合機の操作が可能となったが、ユーザ操作若しくは複合機の状態に対応した音声案内の情報をユーザ自らが変更できる内容ではなかった。
【００１０】
音声案内における操作指示方法や読み上げ方法をユーザが任意で変更することはできなかったので、ユーザが音声ガイド装置に合わせなければならなかった。
【００１１】
視覚障害者は健常者と比べて、視覚でなく聴覚から情報を得て情報処理装置の操作を行わなくてはならない為、音声案内は、視覚によって得られる情報量を聴覚で与えなければならず、場合によっては、情報処理装置の操作において、事細かく音声案内を行うことになるので、そうなると、慣れてきた音声ガイド装置のユーザによっては、すでに分かっている情報を何度も聞かされる羽目となり、慣れてきたユーザにとっては、面白くなく、時間の効率も悪い状態が発生する。
【００１２】
そこで、この発明は、音声ガイド装置のユーザが自らの特性に合わせて音声案内を変更することができる音声ガイド装置を提供することを目的とする。
【課題を解決するための手段】
【００１３】
上記目的を達成するため、請求項１の発明は、情報処理装置に対するユーザ操作および該情報処理装置の状態を音声案内する情報処理装置の音声ガイド装置において、前記音声案内に用いる案内情報を予め記憶する記憶手段と、前記情報処理装置に対するユーザ操作を検知するユーザ操作検知手段と、前記情報処理装置の状態を検知する状態検知手段と、前記ユーザ操作検知手段で検知された前記ユーザ操作若しくは前記状態検知手段で検知された前記情報処理装置の状態に対応して前記記憶手段から前記音声案内に用いる案内情報を選択する選択手段と、前記選択手段で選択された案内情報を用いて情報処理装置に対するユーザ操作および該情報処理装置の状態に対応する音声メッセージ情報を生成する音声案内情報生成手段と、前記ユーザ操作検知手段によるユーザ操作検知若しくは前記状態検知手段による状態検知に対応して前記音声案内情報生成手段で生成された前記音声メッセージ情報を音声出力する音声出力手段と、前記選択手段で選択される案内情報および前記音声案内情報生成手段で生成される音声メッセ−ジ情報および前記音声出力手段による音声出力の少なくとも一つをユーザ設定により変更する音声案内変更手段とを具備することを特徴とする。
【００１４】
また、請求項２の発明は、請求項１の発明において、前記記憶手段は、前記状態検知手段で検知される前記情報処理装置の状態に対応して他者の助けを促す案内情報および該他者を特定する文字列を記憶し、前記音声案内情報生成手段は、前記記憶手段に記憶された前記他者の助けを促す案内情報を含む音声メッセージ情報を生成し、前記音声案内変更手段は、前記ユーザ設定に対応して前記音声案内情報生成手段で生成される音声メッセージ情報に含まれる前記他者を前記記憶手段に記憶された該他者を特定する文字列に置き換える変更を行うことを特徴とする。
【００１５】
また、請求項３の発明は、請求項１の発明において、前記記憶手段は、前記ユーザ操作検知手段で検知される前記ユーザ操作若しくは前記状態検知手段で検知される前記状態に対応して複数の案内情報を記憶し、前記音声案内情報生成手段は、前記記憶手段に記憶された複数の案内情報に対応して複数の音声メッセージ情報を順次生成し、前記音声案内変更手段は、前記ユーザ設定に対応して前記選択手段で選択される案内情報および前記音声案内情報生成手段で生成される音声メッセージ情報の生成順序および前記音声出力手段による音声出力のタイミングの少なくとも一つの変更を行うことを特徴とする。
【００１６】
また、請求項４の発明は、請求項１の発明において、前記記憶手段は、前記ユーザ操作検知手段で検知される前記ユーザ操作に対応して該ユーザ操作に係る数字の読み上げ態様を複数の案内情報として記憶し、前記音声案内変更手段は、前記ユーザ操作および前記ユーザ設定に対応して前記選択手段で選択される前記案内情報の数字の読み上げ態様を変更することを特徴とする。
【００１７】
また、請求項５の発明は、請求項１の発明において、前記記憶手段は、前記ユーザ操作検知手段で検知される前記ユーザ操作に対応して該ユーザ操作に係る設定の読み上げ態様を複数の案内情報として記憶し、前記音声案内変更手段は、前記ユーザ操作および前記ユーザ設定に対応して前記選択手段で選択される前記案内情報の設定の読み上げ態様を変更することを特徴とする。
【００１８】
また、請求項６の発明は、請求項１の発明において、前記記憶手段は、前記状態検知手段によリ検知された前記状態に対応して音楽情報を前記案内情報として記憶し、前記音声案内変更手段は、前記状態および前記ユーザ設定に対応して前記選択手段で選択される前記案内情報を前記音楽情報に変更することを特徴とする。
【発明の効果】
【００１９】
本発明の音声ガイド装置によれば、音声案内に用いる案内情報を予め記憶する記憶手段と、情報処理装置に対するユーザ操作を検知するユーザ操作検知手段と、情報処理装置の状態を検知する状態検知手段と、ユーザ操作検知手段で検知されたユーザ操作若しくは状態検知手段で検知された前記情報処理装置の状態に対応して記憶手段から音声案内に用いる案内情報を選択する選択手段と、選択手段で選択された案内情報を用いて情報処理装置に対するユーザ操作および情報処理装置の状態に対応する音声メッセージ情報を生成する音声案内情報生成手段と、ユーザ操作検知手段によるユーザ操作検知若しくは状態検知手段による状態検知に対応して音声案内情報生成手段で生成された音声メッセージ情報を音声出力する音声出力手段と、選択手段で選択される案内情報および音声案内情報生成手段で生成される音声メッセ−ジ情報および音声出力手段による音声出力の少なくとも一つをユーザ設定により変更する音声案内変更手段とを具備するように構成したので、装置のユーザが自らの特性に合わせて音声案内を変更することができるという効果を奏する。
【発明を実施するための最良の形態】
【００２０】
以下、本発明に係わる音声ガイド装置の実施例について添付図面を参照して詳細に説明する。
【００２１】
本発明に係わる音声ガイド装置で構成されるシステムについて図１を参照して説明する。
【００２２】
本発明に係わる音声ガイド装置で構成されるシステムは、音声ガイド装置の音声案内により操作の補助が行なわれる情報処理装置をコピー、ファックス等の機能を有する複合機として説明を行なうが、しかし、操作の補助が行なわれる情報処理装置は複合機に限ったものではなく、街頭に設置された情報案内端末やＡＴＭ機器、自動販売機、パーソナルコンピュータ等の各種情報処理装置に対して適用可能である。
【００２３】
図１は、本発明に係わる音声ガイド装置で構成されるシステムの概略を示すシステム構成図である。
【００２４】
図１において、音声ガイド装置１０は音声ガイドのソフトウェアがインストールされたパーソナルコンピュータで構成され、ＵＳＢケーブル３０で情報処理装置である複合機２０に接続されている。
【００２５】
複合機２０は、コピー、スキャン、ファックス、プリント等の機能を有しており、一台の装置で複数の機能を実行することが出来る。
【００２６】
音声ガイド装置１０から複合機２０に対しては、視覚障害者である音声ガイド装置１０のユーザが音声ガイドのソフトウェアで操作した内容が複合機２０に送られて、複合機２０におけるコピー、スキャン、ファックス、プリント等の操作を行なうことができる。
【００２７】
また、複合機２０から音声ガイド装置に対しては、複合機２０の状態が送信されて、音声ガイド装置１０において、エラーメッセージ等の音声案内情報を音声出力して視覚障害者でもエラー等の複合機２０の状態を把握することができるように構成されている。
【００２８】
次に、音声ガイド装置１０の内部構成について図２を参照して説明を行なう。
【００２９】
図２は、音声ガイド装置１０の内部構成の概略を示したブロック図である。
【００３０】
音声ガイド装置１０は、視覚障害者に音声ガイドのソフトウェアの動作の表示を行うディスプレイ２０１と、ユーザが音声ガイド装置１０に操作入力を行なうキーボード等で構成される入力装置２０２と、音声ガイドのソフトウェアにおいて視覚障害者に操作の案内を行なう案内情報等がテキストメッセージで記憶されているハードディスク等で構成される記憶部２０３と、ユーザに対する案内情報を音声化する音声読み上げエンジンが格納されたＲＯＭ(Read Only Memory)等で構成される音声合成部２０４と、音声合成部２０４で合成した音声を出力するスピーカ等で構成される音声出力部２０５と、複合機２０と通信のやり取りを行なう通信インタフェース部２０６（以下、通信Ｉ／Ｆ部２０６略し、図２には通信Ｉ／Ｆ部２０６と記す）と、音声ガイド装置１０におけるユーザ操作や複合機２０の状態に対応して、記憶部２０３から案内情報を選択する処理を行い、また各構成部の制御を行う、ＣＰＵ(Central Processing Unit)で構成される制御部２０７とで構成される。
【００３１】
次に、本発明に係る音声ガイド装置１０における処理の流れについて、図３を参照して説明を行なう。
【００３２】
図３は、本発明に係る音声ガイド装置１０における処理の流れの概要を示した構成図である。
【００３３】
音声ガイド装置１０においては、まず、音声ガイド装置１０のユーザに対して提供する案内情報が記憶手段３０１によって記憶部２０３に記憶される。
【００３４】
そして、ユーザが入力装置２０２から操作を行なったり、若しくは、複合機２０から複合機２０の状態が送信されると、ユーザ操作検知手段３０２若しくは状態検知手段３０３でユーザ操作若しくは複合機２０の状態を検知する。
【００３５】
ユーザ操作若しくは複合機２０の状態を検知すると、制御部２０７は、検知したユーザ操作若しくは複合機２０の状態に対応した案内情報を選択手段３０４により記憶部２０３から選択する。
【００３６】
選択手段３０４によって選択された案内情報は、音声案内情報生成手段３０５により音声合成部２０４において音声の合成が行なわれ、そして、音声出力手段３０６により音声出力部２０５においてユーザに対する案内情報が音声出力される。
【００３７】
また、ユーザは、自らの特性に合わせて音声出力される案内情報を変更することができ、音声案内変更手段３０７によって、選択手段３０４で選択する案内情報および音声案内情報生成手段３０５で生成される案内情報を音声化した音声メッセージ情報および音声出力手段３０６による音声出力の少なくとも一つを変更することができる。
【００３８】
次に、音声ガイド装置１０における音声ガイドのソフトウェアの動作について図４を参照して説明を行なう。
【００３９】
図４は、音声ガイド装置１０における音声ガイドのソフトウェアの基本画面４００を示した画面構成図である。
【００４０】
基本画面４００においては、視覚障害者であるユーザが、複合機２０におけるコピー、スキャン、ファックス、プリントの操作を行なえるように構成されている。
【００４１】
音声ガイドのソフトウェアにおいては、ユーザが入力装置２０２上でＴＡＢキーを操作することによって、フォーカスされる項目が移動していき、項目がフォーカスされる毎に、フォーカスされた項目に関する案内情報が音声出力されて、ユーザが視覚障害者であっても操作状況を把握でき、操作を行なうことができるように構成されている。
【００４２】
例えば、基本画面４００においては、カラーモードを選択する項目４１０がフォーカスされた状態であり、ユーザがＴＡＢキーを操作してフォーカスされる項目が部数を選択する項目４０９から項目４１０に移動した時点で、次のように案内情報が音声出力される。
【００４３】
「カラーモード ＡＬＴＯ コンボボックス フルカラー フルカラーでコピーします 上下の矢印キーで選択を選んでください」である。
【００４４】
すなわち、音声出力される案内情報は、フォーカスされる項目によって異なるが、基本的に、項目名、ショートカットキー、コントロールの種類、設定値、ｖａｌｕｅヘルプ（設定値に関するヘルプ）、ヘルプ（項目に関するヘルプ）が順番に音声出力される。
【００４５】
また、各項目には、ＡＬＴＯボタンと組み合わせて使用することで項目が瞬時にフォーカスされるショートカットキーがそれぞれ割り当てられている。
【００４６】
基本画面４００においては、コピー、スキャン、ファックス、プリントの複合機２０の機能を切り替えることができる機能切り替えコンボボックス４０２、スタートボタン４０３、リセットボタン４０４、認証ボタン４０５、ジョブメモリーボタン４０６、案内情報の音声による読み上げに関する設定を行なう初期設定ボタン４０７、ヘルプボタン４０８が画面右側に配置され、画面左側には基本コピータブ４０１において、コピー操作に関する設定を行なうことが出来る各種項目が表示されている。
【００４７】
基本コピータブ４０１には、部数を選択する項目４０９、カラーモードを選択する項目４１０、両面印刷／片面印刷に関する設定を行なう項目４１１、用紙選択に関する項目４１２、拡大縮小の倍率を選択する項目４１３、仕分けやホチキスに関する選択を行なう項目４１４が表示されており、ユーザは、基本コピータブ４０１においてコピーに関する設定を行い、複合機２０にコピーを実行させることができる。
【００４８】
さらに、基本画面４００の下部には、ユーザにヘルプ内容やステイタス等の表示を行なう、ヘルプメッセージエリア４１５とステイタスメッセージエリア４１６が配置されている。
【００４９】
次に、音声出力する案内情報をユーザが変更することができる初期設定ボタン４０７に関して図５を参照して説明を行なう。
【００５０】
図５は、基本画面４００より初期設定ボタン４０７が押されることによって開く、初期設定ダイアログ画面５００の画面構成図である。
【００５１】
初期設定ダイアログ画面５００においては、案内情報を読み上げて、ユーザに案内情報を音声出力する際の読み上げに関する設定を行なうことができ、ユーザは初期設定ダイアログ画面５００と通して自らの特性に合わせて音声案内に関する設定の変更を行なうことができる。
【００５２】
初期設定ダイアログ画面５００内に音声案内に関する設定の変更を行なう為のコンボボックスやボタンが配置されている。
【００５３】
初期設定ダイアログ画面５００の左側には、コンボボックス等が配置されており、上から、各項目がフォーカスされたときに読み上げを行なうか否かを選択することができる項目５０１、各項目がフォーカスされたときにショートカットキーの読み上げを行なうか否かを選択することができる項目５０２、各項目がフォーカスされたときにコントロールタイプを読み上げるか否かの選択を行なうことができる項目５０３、各項目がフォーカスされたときにｖａｌｕｅヘルプの読み上げを行なうか否かの選択を行なうことができる項目５０４、各項目がフォーカスされたときにヘルプの読み上げを行なうか否かの選択を行なうことができる項目５０５、ｗｉｎｄｏｕｓの警告音に関する設定を行なうことができる項目５０６、基本画面４００における機能の設定を行なうことができる項目５０７、オートクリア機能に関する設定を行なうことができる項目５０８、文字を読み上げる際に、一つのまとまりとして、「ｙｅｓ」ならば、「ワイイーエス」ではなく「イエス」と呼ばせる文字列読み上げに関する設定を行なうことができる項目５０９、「プリンター確認」などの体言止の表示内容を、音声出力する際には、分かりやすく「プリンターを確認してください。」などと表現する、聞きやすいメッセージ表示に関する設定を行なう項目５１０が配置されている。
【００５４】
また、初期設定ダイアログ画面５００の右側には、各種ボタンが配置されており、上から、初期設定ダイアログ画面５００上で設定された内容を適用して基本画面４００に戻るＯＫボタン５１１、初期設定ダイアログ画面５００上で設定された内容をキャンセルして基本画面４００に戻るキャンセルボタン５１２、エラーが発生した際に管理者等の協力者の呼び名に関する設定を行なう他者呼び名設定ボタン５１３、ジョブの進行状況の通知に関する設定を行なう進行状況通知設定ボタン５１４、数字の読み上げに関する設定を行なう数字読み上げ設定ボタン５１５、ユーザ操作に関して読み上げの設定を行なう「設定」の読み上げ設定ボタン５１６、用紙情報の読み上げに関する設定を行なう用紙情報読み上げ設定ボタン５１７が配置されている。
【００５５】
これから、初期設定ダイアログ画面５００に関して、各項目がフォーカスされたときの読み上げに関する案内情報変更と、他者呼び名設定ボタン５１３、進行状況通知設定ボタン５１４、数字読み上げ設定ボタン５１５、「設定」の読み上げ設定ボタン５１６、用紙情報読み上げ設定ボタン５１７を使用した案内情報変更と、項目５０９に関する文字列の読み上げの案内情報変更と、項目５１０に関する聞きやすいメッセージ表示の読み上げ案内情報変更とについて詳しく説明を行なって行く。
【００５６】
まず、各項目がフォーカスされた時の読み上げに関する案内情報変更について、図４でカラーモードを選択する項目４１０がフォーカスされた場合において音声出力される案内情報の変更について、図５を参照して説明する。
【００５７】
図５に示した初期設定ダイアログ画面５００において、ショートカットキーの読み上げを行なうか否かを選択する項目５０２、コントロールタイプを読み上げるか否かの選択を行なう項目５０３、ｖａｌｕｅヘルプの読み上げを行なうか否かの選択を行なう項目５０４、ヘルプの読み上げを行なうか否かの選択を行なう項目５０５は、それぞれ、「しない」、「しない」、「しない」、「する」が選択されているが、上述の基本画面４００で説明したように、基本画面４００においてカラーモードを選択する項目４１０がフォーカスされた時に「カラーモード  ＡＬＴＯ  コンボボックス  フルカラー  フルカラーでコピーします  上下の矢印キーで選択を選んでください」と音声出力されるには、項目５０２、５０３、５０４、５０５が全て「する」が選択された状態である必要がある。
【００５８】
しかし、ユーザが操作に慣れてきて、ショートカットキーやコントロールタイプやｖａｌｕｅヘルプの音声読み上げを行なわなくても良くなると、初期設定ダイアログ画面５００の項目５０２、５０３、５０４において、ショートカットキーの読み上げを「しない」を選択し、コントロールタイプの読み上げを「しない」を選択し、ｖａｌｕｅヘルプの読み上げを「しない」を選択することによって、ショートカットキーやコントロールタイプやｖａｌｕｅヘルプを読み上げないように変更する。
【００５９】
そして、案内情報を「カラーモード  フルカラー  上下の矢印キーで選択を選んでください」と音声出力するように変更することができる。
【００６０】
次に、初期設定ダイアログ画面５００より他者呼び名設定ボタン５１３を使用した読み上げの変更について図６を参照して説明を行なう。
【００６１】
図６は、エラーメッセージが基本画面４００のメッセージエリア４１５に表示される際に、エラーメッセージ内に表示される協力者等の他者の呼び名を変更することができる他者呼び名設定ダイアログ画面６００を示す画面構成図である。
【００６２】
他者呼び名設定ダイアログ画面６００には、他者（協力者、管理者等）の呼び名を設定するか否かの選択を行なう項目６０１、他者の呼び名を入力する項目６０２、他者を表示する代わりに電話番号を出力する場合に、出力する電話番号の入力を行う項目６０３、他者呼び名設定ダイアログ画面６００に設定された内容を適用して初期設定ダイアログ画面５００に戻るＯＫボタン６０４、他者呼び名設定ダイアログ画面６００に設定された内容を適用せずに初期設定ダイアログ画面５００に戻るキャンセルボタン６０５が配置されている。
【００６３】
他者の呼び名の設定を、項目６０１において、「しない」が選択されていると、基本画面４００のメッセージエリア４１５には、例えば、インク切れ等によりエラーメッセージが表示される場合には、「インクが切れました。どなたか協力者を呼んでください。」と、「協力者」という表現でエラーメッセージが表示されるが、項目６０１で他者呼び名設定を「する」と選択し、項目６０２の他者呼び名に、ユーザに即した協力者の名前（例えば、Ａさん）を入力しておけば、エラーメッセージには、「インクが切れました。Ａさんを呼んでください。」と表示され、音声出力されるように変更できる。
【００６４】
また、項目６０１で他者呼び名設定を「電話番号で出力」を選択し、番号登録６０３の項目に、連絡する電話番号を「＊＊＊−＊＊＊−＊＊＊＊」と入力しておけば、エラーが発生したときに、基本画面４００のメッセージエリア４１５には、エラーメッセージとして「インクが切れました。＊＊＊−＊＊＊−＊＊＊＊番に電話してください。」と表示され、音声出力されるように変更できる。
【００６５】
これにより、エラーが発生した場合に、ユーザが具体的に助けを求める方法を認識することができて、ユーザにとって役に立つ効果を奏する。
【００６６】
次に、初期設定ダイアログ画面５００より進行状況通知設定ボタン５１４を使用した読み上げの変更について図７を参照して説明を行なう。
【００６７】
図７は、ジョブの進行状況を通知する音声出力の読み上げに関して、読み上げの変更を行なう進行状況通知設定ダイアログ画面７００を示す画面構成図である。
【００６８】
進行状況通知設定ダイアログ画面７００では、ジョブの進行状況を音声でユーザに知らせる案内情報に関する設定を行なうことができ、進行状況通知設定ダイアログ画面７００には、進行状況の詳細をユーザに音声で知らせる通知タイミングに関する設定を行う項目７０１、大量のコピーを実行している際に有効な機能である一定間隔で詳細情報を通知するか否かの選択を行なう項目７０２、コピー等のジョブが終了する前にもうすぐジョブが終了する旨を通知するか否かの設定を行なう項目７０３、ジョブが進行している間に音楽を流し続けて、ユーザにジョブが実行中である旨を認知させることができる機能の選択を行なう、音楽設定と称された項目７０４、音楽設定に関して、ジョブが実行中である場合に、ジョブの始まりとジョブの終了の時点で流す音楽の音量を変更して、ジョブの進行状況を、音楽の音量の変化によってユーザに認知させることができる機能の選択を行なう、進行状況に合わせて音量を変更と称された項目７０５、進行状況通知設定ダイアログ画面７００で設定された内容を適用して初期設定ダイアログ画面５００に戻るＯＫボタン７０６、進行状況通知設定ダイアログ画面７００で設定された内容を適用せずに初期設定ダイアログ画面５００に戻るキャンセルボタン７０７が配置されている。
【００６９】
進行状況通知設定ダイアログ画面７００の各項目について詳しく説明する。
【００７０】
項目７０１では、ジョブの進行状況を通知するタイミングについて設定することができ、例えば、ページ終了毎を選択すると、ページ終了毎に「１２ページ目のコピーが終了しました。」というようにコピー終了の通知がページ終了毎に読み上げられ、ジョブ終了毎を選択すると、例えば、ジョブが終了すると「４０枚をコピーするジョブが終了しました。」というようにジョブ終了毎にジョブ終了の通知が読み上げられるように変更される。
【００７１】
また、一定間隔で詳細情報を通知するか否かの選択を行なう項目７０２では、ジョブの実行中に、一定時間間隔で詳細情報を通知するか否かを選択することができ、詳細情報を通知する時間の間隔も変更することができる。
【００７２】
これにより、大量のコピーを実行している際に、視覚障害者がジョブの進行状況を一定時間間隔で認識することが可能となる。
【００７３】
また、終了間際の情報通知を選択する項目７０３では、ジョブが終了間際に、もうすぐジョブが終了する旨をユーザに通知し、ユーザがもうすぐジョブが終了することを認識することができる。
【００７４】
項目７０３では、終了間際の情報通知を「する」、「しない」を選択することができ、コンボボックス７０８で、ジョブが残りいくつになったら通知するかを、「残り１０％」、「残り５０％」、「残り１０枚」、「残り１部」から選択することができる。
【００７５】
例えば、図７に示した進行状況通知設定ダイアログ画面７００に表示されるように、終了間際の情報通知を選択する項目７０３において、「する」、「残り１０％」が選択された状態では、コピー等のジョブが実行された際に、コピーの残りが残り１０％になった時点で「あと残り１０％でコピーが終了します。」と音声案内される。
【００７６】
また、音楽設定と称された項目７０４では、ジョブの実行中に、選択された音楽を音声出力させて、ユーザにジョブが実行中であることを音楽が出力されていることをもって認識させることができる、音楽設定に関しての設定を行うことができ、コンボボックス７０９において、音声出力する音楽の曲名を選択することができる。
【００７７】
コンボボックス７０９で選択される曲の種類に関しては、音楽ファイルを、音声ガイド装置１０内の特定のフォルダに入れておくことで、コンボボックス７０９に該特定のフォルダに入れられた音楽ファイルの曲名が表示される。
【００７８】
なお、音楽の曲の種類に関しては、音声ガイド装置１０内の特定のフォルダに音楽ファイルを入れておくのではなく、複合機２０に登録されてある曲をＵＳＢケーブル３０を通じて複合機２０よりダウンロードすることを可能にして、ダウンロードした曲の曲名をコンボボックス７０９に表示するようにしてもよい。
【００７９】
なお、音声出力する音楽を、音声ガイド装置１０を使用するユーザ毎に別々に設定することで、ユーザ毎に音声出力される曲を異なるように設定し、異なる曲を聞き分けることによって、操作を行なっているユーザを特定できるようにしてもよい。
【００８０】
また、項目７０５では、進行状況に合わせて音量を変更する機能に関して選択することができ、項目７０４において音楽設定を「する」が選択された状態で、項目７０５において「する」が選択されると、ジョブの進行状況に合わせて音量を変更することができる。
【００８１】
つまり、ジョブの開始時には、エディットボックス７１１で選択された最小の音量で、コンボボックス７０９で選択された曲が音声出力され、ジョブの終了までにエディットボックス７１０で選択された最大の音量で音楽を音声出力するように次第に音量を上げていく。
【００８２】
この機能により、ユーザは、ジョブ実行中に音声出力されている音楽の音量が設定された最大音量に近づいているのを聞いて、ジョブが終了に近づいているのを認識することができる。
【００８３】
このように、ジョブの進行状況をユーザが把握する音声案内情報を変更することができる。
【００８４】
次に、初期設定ダイアログ画面５００より数字読み上げ設定ボタンを使用した読み上げの変更について図８と図９を参照して説明を行なう。
【００８５】
図８は、音声ガイド装置１０の音声ガイドのソフトウェアにおいて、数字を読み上げる際に、数字を読み上げる方法に関する設定を行なう数字読み上げ設定ダイアログ画面８００を示す画面構成図である。
【００８６】
数字読み上げ設定ダイアログ画面８００においては、局番分割読み上げを選択することができる項目８０１と、機能用語読み上げを選択することができる項目８０２と、単位読み上げを選択することができる項目８０３と、入力／削除時の数値全体読み上げを選択することができる項目８０４と、数字読み上げ設定ダイアログ画面８００において設定した内容を適用して初期設定ダイアログ画面５００に戻るＯＫボタン８０６と、数字読み上げ設定ダイアログ画面８００において設定した内容を適用せずに初期設定ダイアログ画面５００に戻るキャンセルボタン８０７と、コンボボックス８０９、８１０、８１１、８１２とが配置されている。
【００８７】
これから設定ダイアログ画面８００におけるそれぞれの項目について説明していく。
【００８８】
まず、局番分割読み上げを選択することができる項目８０１においては、コンボボックス８０９において、「する」、「しない」を選択することができ、「する」を選択すると、ファックスする際に入力されるファックス番号の音声出力する際の読み方を、局番に分割して分かりやすく読み上げることができる。
【００８９】
例えば、「０３１２３４５６７８」と入力された番号は、局番分割読みが選択されている場合には、「０３の１２３４の５６７８」と読み上げられ、市外局番等で分割されて読み上げられる。
【００９０】
次に、局番分割読み上げが選択されて、ファックス番号が局番分割読み上げされる際における、入力された番号が局番分割される処理について、図９を参照して説明する。
【００９１】
図９は、入力されたファックス番号が局番分割される際の処理フローを示したフローチャートである。
【００９２】
音声ガイドのソフトウェアは、全てのファクス番号の市外局番を記憶しており、ファックス番号が入力されるエディットボックスに９桁のファックス番号が入力されると（ステップ９０１）、入力された最初の２桁が記憶している市外局番に該当するかどうかを確かめ、該当する市外局番が存在すると（ステップ９０２でＹＥＳ）、９桁入力された数字の最初の２桁を市外局番と設定して（ステップ９０３）、番号を分割する。
【００９３】
また、入力された最初の２桁の数字が記憶している市外局番に該当しない場合には（ステップＮＯ）、９桁入力された数字の最初の３桁を市外局番と設定して（ステップ９０４）番号を分割する。
【００９４】
数字読み上げ設定ダイアログ画面８００において、機能用語読み上げを選択することができる項目８０２においては、コンボボックス８１０において「する」を選択すると、「２ＵＰ」という表示が「ニアップ」と読み上げられずに、機能用語として「ツーアップ」と読み上げられ、「１タッチ」という表示は「イチタッチ」と読み上げられずに「ワンタッチ」と読み上げられるように、数字が機能用語に即した読み方で読み上げられる。
【００９５】
なお、機能用語に関して、上述の例で説明した「２ＵＰ」、「１タッチ」以外の他の機能用語に関しても、機能用語読み上げが選択された場合には、機能用語の独特の数字の読み方を行なって読み上げる。
【００９６】
単位読み上げを選択することができる項目８０３においては、単位読み上げを選択することができ、コンボボックス８１１において「する」を選択すると、数字を入力するエディットボックスの外部にエディットボックス用の単位が設定されている、単位読み上げが適用されるエディットボックスには、該エディットボックスに入力された数字を読み上げる以外に設定された単位も合わせて読み上げるように、読み上げを行なう。
【００９７】
例えば、数字を入力するエディットボックスの右隣に「ｍｍ」という長さを表示する単位が表示されて、該エディットボックスには、長さの数値を入力するように構成されている場合、エディットボックスに「３」が入力されて、単位読み上げが「する」と選択されていると、「サン」と読み上げられるのではなく、「サンミリメートル」というように、ミリメートルの単位も入力された数字と合わせて読み上げられるように案内情報が変更される。
【００９８】
入力／削除時の数値全体読み上げを選択することができる項目８０４においては、コンボボックス８１２で「する」を選択すると、エディットボックスの右隣に単位が設定されている等でエディットボックスに入力する数字の大きさに意味がある場合には、数字を入力した際と削除した際に、数値全体読み上げが行なわれる。
【００９９】
すなわち、数値全体読み上げとは、エディットボックスに数字を入力した際に、通常は、数字が入力（もしくは削除）した数字だけをその都度読み上げられるのであるが、入力／削除時の数値全体読み上げが設定されている場合には、数字が入力されて（もしくは削除されて）エディットボックスに表示されている数値が読み上げられる。
【０１００】
例えば、入力／削除時の数値全体読み上げが選択されて、大きさに意味のあって入力／削除時の数値全体読み上げが適用されるエディットボックスにおいて、「０４」と表示された状態から「５」を入力して「０４５」の状態を表示させる際に、「５」を入力した時点で、通常では「ゴ」というように入力した数字だけを読み上げられるのであるが、入力した結果表示される「０４５」を表現するように「ゼロヨンゴ」と読み上げられるようにする。
【０１０１】
削除時においても同様に、「０９８７」と表示されたエディットボックスから、バックスペース(Back Space)キーやデリート(Delete)キーを使用して「７」を削除して「０９８」と表示させる場合に、通常では、削除した数字である「７」を「ナナ」と読み上げるのであるが、入力／削除時の数値全体読み上げが選択されて、入力／削除時の数値全体読み上げが適用されるエディットボックスにおいては、削除された結果である「０９８」を表現する「ゼロキュウハチ」が「７」が削除された時点で読み上げられる。
【０１０２】
次に、初期設定ダイアログ画面５００より「設定」の読み上げ設定ボタン５１６を使用した読み上げの変更について図１０を参照して説明を行なう。
【０１０３】
図１０は、ユーザ操作に係わる「設定」の読み上げに関して、案内情報の変更を行なうことができる「設定」の読み上げ設定ダイアログ画面１０００を示した画面構成図である。
【０１０４】
「設定」読み上げ設定ダイアログ画面１０００においては、片面／両面の読み上げを選択することができる項目１００１と、「設定」の読み上げ設定ダイアログ画面１０００において設定された内容を適用して初期設定ダイアログ画面５００に戻るＯＫボタン１００２と、「設定」の読み上げ設定ダイアログ画面１０００において設定された内容を適用せずに初期設定ダイアログ画面５００に戻るキャンセルボタン１００３と、コンボボックス１００４とが配置されている。
【０１０５】
片面／両面の読み上げ設定を行なうことができる項目１００１においては、コンボボックス１００４において、「する」が選択されて、片面／両面の読み上げを行なうように選択された場合には、基本画面４００の両面印刷／片面印刷に関する設定を行なう項目４１１において、「１→１」と表記された内容を文字通り「イチミギイチ」と読み上げるのではなくて、「片面から片面」と読み上げるように変更することができる。
【０１０６】
なお、「設定」の読み上げ設定ダイアログ画面１０００においては、片面／両面読み上げ以外に、その他のユーザ操作に係わる設定についても、読み上げる案内情報を選択することが出来るのであれば、「設定」の読み上げ設定ダイアログ画面１０００において、読み上げの変更を行なうことを可能とする。
【０１０７】
次に、初期設定ダイアログ画面５００より用紙情報の設定ボタン５１７を使用した読み上げの変更について図１１を参照して説明を行なう。
【０１０８】
図１１（ａ）は、用紙情報の読み上げに関して、読み上げの変更を行なう用紙情報読み上げ設定ダイアログ画面１１００を示す画面構成図である。
【０１０９】
用紙設定ダイアログ画面１１００においては、トレイ番号の読み上げの選択を行う項目１１０１と、用紙サイズの読み上げの選択を行なう項目１１０２と、用紙の向きの読み上げの選択を行なう項目１１０３と、用紙の種類の読み上げの選択を行なう項目１１０４と、各項目の内容を選択するコンボボックス１１０７、１１０８、１１０９、１１１０と、用紙設定ダイアログ画面１１００において設定された内容を適用して初期設定ダイアログ画面５００に戻るＯＫボタン１１０５と、用紙設定ダイアログ画面１１００において設定された内容を適用せずに初期設定ダイアログ画面５００に戻るキャンセルボタン１１０６とが配置されている。
【０１１０】
図１１（ｂ）には、用紙情報の読み上げに関して、用紙情報読み上げダイアログ画面１１００において用紙情報に関するすべての項目を読み上げるようにした場合における、基本画面４００の一例である。
【０１１１】
用紙情報読み上げ設定ダイアログ画面１１００において、用紙情報に関するすべての項目を読み上げるようにした場合には、図１１（ｂ）に示される基本画面４００の用紙選択に関する項目において、コンボボックス１１１１に用紙の選択として、トレイ番号、用紙サイズ、用紙の向き、用紙の種類が表示され、「自動」、「トレイ１  Ａ４サイズ  縦向き  普通紙」、「トレイ２  Ａ３サイズ  縦向き  普通紙」、「トレイ３  Ａ５サイズ  縦向き  普通紙」、「トレイ４  Ｂ５サイズ  縦向き  普通紙」、「手差し  Ｂ４サイズ  縦向き  普通紙」と表示されている。
【０１１２】
コンボボックス１１１１に示すように、複合機２０に設定している用紙の向きと用紙の種類が、縦向きと普通紙とで、すべて同じである場合には、同じ情報を何度も読み上げるのは効率が悪い。
【０１１３】
それで、図１１（ａ）に示す用紙情報読み上げ設定ダイアログ画面１１００において、用紙の向きと用紙の種類を読まないようにコンボボックス１１０９、１１１０において「読まない」を選択することにより、同じ情報である、用紙の向きと用紙の種類を読み上げないように変更することができる。
【０１１４】
図１１（ｃ）には、図１１（ｂ）に示す状態から、用紙情報読み上げ設定ダイアログ画面１１００を使用して、用紙の向きと用紙の種類を読み上げないように変更して表示される基本画面４００を示す。
【０１１５】
図１１（ｂ）では、用紙の向きと用紙の種類に関して同じ内容が何度も表示されていたが、図１１（ｃ）では、用紙の向きと用紙の種類が表示されておらず、選択された項目が読み上げられる際にも、用紙の向きと用紙の種類は読み上げられない。
【０１１６】
次に、初期設定ダイアログ画面５００における、文字列の読み上げに関する項目５０９について図１２を参照して説明を行う。
【０１１７】
初期設定ダイアログ画面５００において、文字列読み上げに関する項目５０９で「する」が選択されて登録ボタン５１８の押下が行われると、図１２に示す文字列の登録ダイアログ画面１２００が開く。
【０１１８】
図１２は、文字列の登録ダイアログ画面１２００を示した画面構成図である。
【０１１９】
文字列の登録ダイアログ画面１２００では、特定の文字列に関して、音声案内する際に、表記と違う読み方で読み上げるように登録することができる。
【０１２０】
図１２に示す文字列の登録ダイアログ画面１２００では、登録する文字列を入力する文字列の項目１２０１、項目１２０１で入力した文字の読み方を入力する項目１２０２、文字列の登録ダイアログ画面で設定した内容を登録して初期設定ダイアログ画面５００に戻る登録ボタン１２０３、文字列の登録ダイアログ画面で設定した内容を登録せずに初期設定ダイアログ画面５００に戻るキャンセルボタン１２０４が配置されている。
【０１２１】
項目１２０１には「ｙｅｓ」と入力されており、通常「ｙｅｓ」を音声ガイド装置１０が読み上げる際には、「ワイイーエス」と一文字毎に読み上げるが、項目１２０２において読み方を「イエス」とするように入力されているので、このまま登録することにより、「ｙｅｓ」は「ワイイーエス」ではなく、「イエス」と読み上げられるように変更することができる。
【０１２２】
このように、文字列の登録ダイアログ画面１２００において、特定の文字列の読み方をユーザが自ら変更することができる。
【０１２３】
次に、初期設定ダイアログ画面５００における、項目５１０の聞きやすいメッセージ表示について説明する。
【０１２４】
聞きやすいメッセージ表示に関する項目５１０において「する」を選択することで、音声ガイドのソフトウェア上において、「プリンター確認」などの体言止めの表示内容を音声出力する際に、分かりやすく「プリンターを確認してください。」などと読み上げることができ、ユーザにとって、聞きやすい案内情報を音声出力することができる。
【０１２５】
なお、他者呼び名設定ダイアログ画面６００において、エラーメッセージに表示される他者の呼び名をユーザが自らの特性に合わせて変更することができることを説明したが、エラーメッセージの種類毎に他者の呼び名を変えることによって、エラーの種類に応じて、協力者を変えることができるように案内情報を変更することもできる。
【０１２６】
例えば、図１３（ａ）に用紙切れのエラーが発生した基本画面４００を示す。
【０１２７】
図１３（ａ）に示される用紙切れのエラーが発生した基本画面４００において、ユーザは、ＴＡＢキーを使用して、メッセージエリア４１５にフォーカスを合わせて右クリックすることで、他者呼び名設定が表示されたボックス１３０１が開かれる。
【０１２８】
ボックス１３０１より他者呼び名設定を選択してエンターキーの押下を行うことで、図１３（ｂ）に示す用紙切れエラー他者呼び名設定ダイアログ画面１３０２が開く。
【０１２９】
用紙切れエラー他者呼び名設定ダイアログ画面１３０２において、項目１３０３で他者の呼び名設定を「する」を選択し、項目１３０４で他者の呼び名を「Ｂさん」と入力し、ＯＫボタン１３０５を押下することで、用紙切れのエラーに関しては、今まで、「用紙切れです。Ａさんを呼んでください。」と表示されて音声出力されていたエラーメッセージが、「用紙切れです。Ｂさんを呼んでください。」と表示して音声出力されるように変更することができる。
【０１３０】
なお、数字読み上げやフォーカス時の読み上げに関しても同様に、特定のエディットボックス毎に数字読み上げやフォーカス時の読み上げの案内情報を音声出力するように変更することもできる。
【０１３１】
例えば、図１４（ａ）に示す、「下」のエディットボックス１４０４においては、初期設定ダイアログ画面５００より設定した読み方ではなく、特異な数字読み上げとフォーカス時読み上げを設定したい場合には、「下」のエディットボックス１４０４に入力可能な状態で右クリックをすることで、ボックス１４０１を開き、ボックス１４０１の中から、まず、数字読み上げ設定を選択して、エンターキーの押下を行う。
【０１３２】
すると、図１４（ｂ）に示すように、下エディットボックス数字読み上げ設定ダイアログ画面１４０２が開き、下エディットボックス数字読み上げダイアログ画面１４０２において、下エディットボックスに特有の数字読み上げに変更することができる。
【０１３３】
変更方法に関しての説明は、数字読み上げ設定ダイアログ画面８００における方法と同じなので、重複を避ける為、説明を省略する。
【０１３４】
また、右クリックをしてボックス１４０１を開いた際に、フォーカス時読み上げ設定を選択しエンターキーの押下を行うと、図１４（ｃ）に示すように下エディットボックスフォーカス時読み上げ設定ダイアログ画面１４０３が開き、下エディットボックスフォーカス時読み上げ設定ダイアログ画面１４０３において、下エディットボックスがフォーカスされた時の案内情報の読み上げの変更を行うことができる。
【０１３５】
変更方法に関しての説明は、初期設定ダイアログ画面５００における方法と同じなので、重複を避ける為、説明を省略する。
【０１３６】
なお、本発明に係わる音声ガイド装置１０の音声ガイドを行なうソフトウェアにおけるユーザが自らの特性に合わせて音声案内を変更することができる機能は、複合機２０に接続された音声ガイド装置１０においてだけ可能とするのではなく、複合機２０に該機能を盛り込んで、複合機２０が、ユーザが自らの特性に合わせて音声案内を変更できる音声ガイド機能を備えてもよいし、複合機２０に限らず、ユーザの操作を音声案内する音声ガイド機能を備えた装置において、ユーザが自らの特性に合わせて音声案内を変更できるようにしてもよい。
【０１３７】
また、本実施例においては、音声案内により操作の補助が行われる装置として複合機で説明したが、複合機に限定されるものでなく、街頭に設置された情報案内端末やＡＴＭ機器、自動販売機、パーソナルコンピュータ等の各種情報処理装置に適用可能である。
【産業上の利用可能性】
【０１３８】
この発明は、情報処理装置の操作を音声で案内する音声ガイド装置において利用可能である。
【０１３９】
この発明によれば、音声ガイド装置のユーザが自らの特性に合わせて音声案内を変更することができる。
【図面の簡単な説明】
【０１４０】
【図１】本発明に係わる音声ガイド装置で構成されるシステムの概略を示すシステム構成図。
【図２】音声ガイド装置１０の内部構成の概略を示したブロック図。
【図３】本発明に係る音声ガイド装置１０における処理の流れの概要を示した構成図。
【図４】音声ガイド装置１０における音声ガイドのソフトウェアの基本画面４００を示した画面構成図。
【図５】基本画面４００より初期設定ボタン４０７が押されることによって開く、初期設定ダイアログ画面５００の画面構成図。
【図６】エラーメッセージが基本画面４００のメッセージエリア４１５に表示される際に、エラーメッセージ内に表示される協力者等の他者の呼び名を変更することができる他者呼び名設定ダイアログ画面６００を示す画面構成図。
【図７】ジョブの進行状況を通知する音声出力の読み上げに関して、読み上げの変更を行なう進行状況通知設定ダイアログ画面７００を示す画面構成図。
【図８】音声ガイド装置１０の音声ガイドのソフトウェアにおいて、数字を読み上げる際に、数字を読み上げる方法に関する設定を行なう数字読み上げ設定ダイアログ画面８００を示す画面構成図。
【図９】入力されたファックス番号が局番分割される際の処理フローを示したフローチャート。
【図１０】ユーザ操作に係わる「設定」の読み上げに関して、案内情報の変更を行なうことができる「設定」の読み上げ設定ダイアログ画面１０００を示した画面構成図。
【図１１】用紙情報読み上げ設定ダイアログ画面１１００を示す画面構成図と、用紙情報読み上げ設定前の基本画面４００の一部分を示す画面構成図と、用紙情報読み上げ設定後の基本画面４００の一部分を示す画面構成図。
【図１２】文字列の登録ダイアログ画面１２００を示した画面構成図。
【図１３】用紙切れのエラーメッセージが表示された基本画面４００を示す画面構成図と、用紙切れエラー他者呼び名設定ダイアログ画面１３０２を示す画面構成図。
【図１４】下エディットボックス１４０４において右クリックした状態を示す画面構成図と、下エディットボックス数字読み上げ設定ダイアログ画面１４０２を示す画面構成図と、下エディットボックスフォーカス時読み上げ設定ダイアログ画面１４０３を示す画面構成図。
【符号の説明】
【０１４１】
１０    音声ガイド装置
２０    複合機
３０    ＵＳＢケーブル
２０１    ディスプレイ
２０２    入力装置
２０３    記憶部
２０４    音声合成部
２０５    音声出力部
２０６    通信インタフェース部
２０７    制御部
４００    基本画面
５００    初期設定ダイアログ画面
６００    他者呼び名設定ダイアログ画面
７００    進行状況通知設定ダイアログ画面
８００    数字読み上げ設定ダイアログ画面
１０００    「設定」の読み上げ設定ダイアログ画面
１１００    用紙情報読み上げ設定ダイアログ画面
１２００    文字列の登録ダイアログ画面
【図１】
2006155360.tif 000003
【図２】
2006155360.tif 000004
【図３】
2006155360.tif 000005
【図４】
2006155360.tif 000006
【図５】
2006155360.tif 000007
【図６】
2006155360.tif 000008
【図７】
2006155360.tif 000009
【図８】
2006155360.tif 000010
【図９】
2006155360.tif 000011
【図１０】
2006155360.tif 000012
【図１１】
2006155360.tif 000013
【図１２】
2006155360.tif 000014
【図１３】
2006155360.tif 000015
【図１４】
2006155360.tif 000016